(57)【特許請求の範囲】
【請求項１】
装置本体と、
現像剤像を担持する感光ドラムを有し、前記装置本体に対して前記感光ドラムの軸線方向に着脱可能であり、前記軸線方向に直交する並列方向に並列されて配置される複数のドラムユニットと、
前記複数のドラムユニットのそれぞれに対応して設けられ、前記感光ドラムに現像剤を供給する現像ローラを有し、前記装置本体に対して前記軸線方向に着脱可能な現像ユニットと、
前記装置本体において、前記複数のドラムユニットのそれぞれに対応して設けられ、前記感光ドラムを露光するように前記感光ドラムに対向配置される発光部を有し、前記感光ドラムに近接される近接位置と、前記感光ドラムから退避される退避位置とに移動可能な露光ユニットと、
前記発光部に対して前記感光ドラムの反対側に配置され、前記軸線方向に延び、前記現像ユニットの前記装置本体に対する着脱動作に連動して前記軸線方向に移動可能な移動部材と、
前記現像ユニットが前記装置本体に装着されているときに、前記ドラムユニットの前記装置本体からの離脱を規制する規制部材と
を備え、
前記移動部材は、前記軸線方向における少なくとも両端部において、作用部を備え、
前記露光ユニットは、前記軸線方向における少なくとも両端部において、前記作用部によって作用される被作用部を備え、
前記露光ユニットは、前記現像ユニットの前記装置本体への装着動作に連動して、前記作用部の前記被作用部に対する作用により前記退避位置から前記近接位置へ移動され、前記現像ユニットの前記装置本体からの離脱動作に連動して、前記作用部の前記被作用部に対する作用が解除されることにより前記近接位置から前記退避位置へ移動され、
前記ドラムユニットは、前記現像ユニットが前記装置本体から離脱されることにより、前記装置本体からの離脱の規制が解除されることを特徴とする、画像形成装置。
【請求項２】
前記現像ユニットは、前記移動部材を備えることを特徴とする、請求項１に記載の画像形成装置。
【請求項３】
前記作用部および前記被作用部の少なくとも一方は、前記現像ユニットの装着方向下流側から前記装着方向上流側へ向かうに従って、前記露光ユニットの前記感光ドラムに対する近接方向へ傾斜する傾斜部を備えることを特徴とする、請求項１または２に記載の画像形成装置。
【請求項４】
前記規制部材は、前記現像ユニットに一体的に設けられていることを特徴とする、請求項１ないし３のいずれか一項に記載の画像形成装置。
【請求項５】
装置本体と、
現像剤像を担持する感光ドラムを有し、前記装置本体に対して前記感光ドラムの軸線方向に着脱可能であり、前記軸線方向に直交する並列方向に並列されて配置される複数のドラムユニットと、
前記複数のドラムユニットのそれぞれに対応して設けられ、前記感光ドラムに現像剤を供給する現像ローラを有し、前記装置本体に対して前記軸線方向に着脱可能な現像ユニットと、
前記装置本体において、前記複数のドラムユニットのそれぞれに対応して設けられ、前記感光ドラムを露光するように前記感光ドラムに対向配置される発光部を有し、前記感光ドラムに近接される近接位置と、前記感光ドラムから退避される退避位置とに移動可能な露光ユニットと、
前記発光部に対して前記感光ドラムの反対側に配置され、前記軸線方向に延び、前記現像ユニットの前記装置本体に対する着脱動作に連動して前記軸線方向に移動可能な移動部材と
を備え、
前記現像ユニットは、前記移動部材を備え、
前記移動部材は、前記軸線方向における少なくとも両端部において、作用部を備え、
前記露光ユニットは、前記軸線方向における少なくとも両端部において、前記作用部によって作用される被作用部を備え、
前記露光ユニットは、前記現像ユニットの前記装置本体への装着動作に連動して、前記作用部の前記被作用部に対する作用により前記退避位置から前記近接位置へ移動され、前記現像ユニットの前記装置本体からの離脱動作に連動して、前記作用部の前記被作用部に対する作用が解除されることにより前記近接位置から前記退避位置へ移動されることを特徴とする、画像形成装置。
【請求項６】
装置本体と、
現像剤像を担持する感光ドラムを有し、前記装置本体に対して前記感光ドラムの軸線方向に着脱可能であり、前記軸線方向に直交する並列方向に並列されて配置される複数のドラムユニットと、
前記複数のドラムユニットのそれぞれに対応して設けられ、前記感光ドラムに現像剤を供給する現像ローラを有し、前記装置本体に対して前記軸線方向に着脱可能な現像ユニットと、
前記装置本体において、前記複数のドラムユニットのそれぞれに対応して設けられ、前記感光ドラムを露光するように前記感光ドラムに対向配置される発光部を有し、前記感光ドラムに近接される近接位置と、前記感光ドラムから退避される退避位置とに移動可能な露光ユニットと、
前記発光部に対して前記感光ドラムの反対側に配置され、前記軸線方向に延び、前記現像ユニットの前記装置本体に対する着脱動作に連動して前記軸線方向に移動可能な移動部材と
を備え、
前記移動部材は、前記軸線方向における少なくとも両端部において、作用部を備え、
前記露光ユニットは、前記軸線方向における少なくとも両端部において、前記作用部によって作用される被作用部を備え、
前記作用部および前記被作用部の少なくとも一方は、前記現像ユニットの装着方向下流側から前記装着方向上流側へ向かうに従って、前記露光ユニットの前記感光ドラムに対する近接方向へ傾斜する傾斜部を備え、
前記露光ユニットは、前記現像ユニットの前記装置本体への装着動作に連動して、前記作用部の前記被作用部に対する作用により前記退避位置から前記近接位置へ移動され、前記現像ユニットの前記装置本体からの離脱動作に連動して、前記作用部の前記被作用部に対する作用が解除されることにより前記近接位置から前記退避位置へ移動されることを特徴とする、画像形成装置。
【請求項７】
すべての前記感光ドラムに対して上側から接触される無端ベルトを有するベルトユニットを備え、
前記複数のドラムユニットは、前記ベルトユニットの下側に配置され、
前記露光ユニットは、前記感光ドラムの下側に配置され、
前記移動部材は、前記露光ユニットの下側に配置されていることを特徴とする、請求項１ないし６のいずれか一項に記載の画像形成装置。
【請求項８】
前記露光ユニットは、前記発光部と前記感光ドラムとの間隔を調整する間隔調整部材とを備えることを特徴とする、請求項１ないし７のいずれか一項に記載の画像形成装置。
【請求項９】
前記作用部は、対応する前記現像ユニットが前記装置本体から離脱されるときに、前記露光ユニットを近接位置から退避位置へ変位させ、対応する前記現像ユニットが前記装置本体に装着されるときに、前記露光ユニットを退避位置から近接位置へ変位させることを特徴とする、請求項１ないし８のいずれか一項に記載の画像形成装置。
【請求項１０】
前記被作用部は、対応する前記現像ユニットが前記装置本体に装着されるときに、前記作用部によって、前記露光ユニットを前記感光ドラムに近接させる方向に押圧されることを特徴とする、請求項１ないし９のいずれか一項に記載の画像形成装置。
【請求項１１】
請求項１ないし１０のいずれか一項に記載の画像形成装置の前記装置本体に対して、前記軸線方向に着脱可能であることを特徴とする、現像ユニット。
【発明の詳細な説明】
【技術分野】
【０００１】
本発明は、電子写真方式が採用される画像形成装置および、その画像形成装置に備えられる現像ユニットに関する。
【背景技術】
【０００２】
電子写真方式のプリンタとして、感光体と、感光体に現像剤を供給する現像ユニットとを備えるプリンタが知られている。
【０００３】
このようなプリンタとして、下記特許文献１に記載されるように、例えば、交換可能な感光体ドラムと、感光体ドラムにトナーを供給する交換可能な現像器と、感光体ドラムを露光するＬＥＤヘッドとを１つずつ備える画像形成装置が知られている。
【０００４】
この画像形成装置では、現像器を装置本体から取り外す動作に連動して、ＬＥＤヘッドを、感光ドラムに近接した書き込み位置から、感光ドラムから大きく離間した離間位置へ移動させている。これにより、現像器の交換作業中にトナーの飛散によってＬＥＤヘッドが汚れることを防止している。
【０００５】
具体的には、この画像形成装置は、感光体ドラムの上側において、ＬＥＤヘッドを書き込み位置と離間位置とへ移動させる押圧手段を備えている。
【０００６】
押圧手段は、動作アームと、押圧部材と、ワイヤとを備えている。動作アームは、現像器の着脱軌跡内に露出され、支軸を中心として回転可能に設けられている。押圧部材は、シャフトを中心として回転可能であり、押圧レバーの先端によって、ＬＥＤヘッドを書き込み位置へ押圧する。ワイヤは、押圧部材および動作アームを接続している。
【０００７】
この画像形成装置では、現像器の着脱によって動作アームを回転させるとともに、ワイヤを介して押圧部材を回転させて、ＬＥＤヘッドを移動させている。
【先行技術文献】
【特許文献】
【０００８】
【特許文献１】特開２００６−１８１２６号公報
【発明の概要】
【発明が解決しようとする課題】
【０００９】
一方、電子写真方式のプリンタとして、互いに間隔を隔てて並列配置される複数の感光体ドラムを備えるカラープリンタが知られている。
【００１０】
このようなカラープリンタに、上記した特許文献１に記載のＬＥＤヘッドおよび押圧手段を適用すると、複数の感光体ドラムのそれぞれに対して、現像器、ＬＥＤヘッド、および、押圧手段を設けることになる。
【００１１】
ここで、上記した特許文献１に記載の押圧手段は、動作アーム、押圧部材およびワイヤ等を備えており、構成が複雑であり、小型化を図ることが困難である。
【００１２】
そのため、そのような押圧手段が、複数の感光体ドラムの間にそれぞれ配置されると、複数の感光体ドラムの間隔が拡がり、感光体ドラムの並列方向において、画像形成装置を小型化することが困難である。
【００１３】
そこで、本発明の目的は、感光ドラムを有する複数のドラムユニットの並列方向において小型化を図ることができる画像形成装置および、その画像形成装置に備えられる現像ユニットを提供することにある。
【課題を解決するための手段】
【００１４】
（１）上記した目的を達成するために、本発明の画像形成装置は、装置本体と、現像剤像を担持する感光ドラムを有し、装置本体に対して感光ドラムの軸線方向に着脱可能であり、軸線方向に直交する並列方向に並列されて配置される複数のドラムユニットと、複数のドラムユニットのそれぞれに対応して設けられ、感光ドラムに現像剤を供給する現像ローラを有し、装置本体に対して軸線方向に着脱可能な現像ユニットと、装置本体において、複数のドラムユニットのそれぞれに対応して設けられ、感光ドラムを露光するように感光ドラムに対向配置される発光部を有し、感光ドラムに近接される近接位置と、感光ドラムから退避される退避位置とに移動可能な露光ユニットとを備える。
【００１５】
また、本発明の画像形成装置は、発光部に対して感光ドラムの反対側に配置され、軸線方向に延び、現像ユニットの装置本体に対する着脱動作に連動して軸線方向に移動可能な移動部材を備える。
【００１６】
移動部材は、軸線方向における少なくとも両端部において、作用部を備える。
【００１７】
露光ユニットは、軸線方向における少なくとも両端部において、作用部によって作用される被作用部を備える。
【００１８】
露光ユニットは、現像ユニットの装置本体への装着動作に連動して、作用部の被作用部に対する作用により退避位置から近接位置へ移動され、現像ユニットの装置本体からの離脱動作に連動して、作用部の被作用部に対する作用が解除されることにより近接位置から退避位置へ移動される。
【００１９】
このような構成によれば、露光ユニットの発光部に対して感光ドラムの反対側に対向配置される移動部材を、軸線方向へ移動させるという簡易な構成により、露光ユニットを、感光ドラムに近接される近接位置と、感光ドラムから退避される退避位置とに移動させることができる。
【００２０】
つまり、簡易な構成で、移動部材の移動により生じる軸線方向への力を、露光ユニットの感光ドラムに対する近接・離間方向への力に変換することができる。
【００２１】
そのため、簡易な構成で、現像ユニットの装置本体からの離脱動作に連動して近接位置から退避位置へ移動させることができるとともに、現像ユニットの装置本体への装着動作に連動して退避位置から近接位置へ移動させることができる。
【００２２】
その結果、感光ドラムを有する複数のドラムユニットの並列方向において画像形成装置の小型化を図ることができる。
（２）また、本発明の画像形成装置は、すべての感光ドラムに対して露光ユニットの反対側から接触される無端ベルトを有するベルトユニットを備えていてもよい。この場合、複数のドラムユニットは、ベルトユニットの下側に配置され、露光ユニットは、感光ドラムの下側に配置され、移動部材は、露光ユニットの下側に配置されている。
【００２３】
このような構成によれば、無端ベルトの下側のスペースに、ドラムユニット、露光ユニットおよび移動部材を、上側から下側へ向かって順次、配置することができる。
【００２４】
そのため、被転写部材を無端ベルトに向かって下側から上側へ搬送する途中の空間に、ドラムユニット、露光ユニットおよび移動部材を効率よく配置することができる。
【００２５】
また、この空間を利用して、被転写部材をレジストするための構成を効率よく配置することができる。
【００２６】
その結果、上下方向において画像形成装置の小型化を図ることができる。
（３）また、本発明の画像形成装置は、現像ユニットが装置本体に装着されているときに、ドラムユニットの装置本体からの離脱を規制する規制部材を備えていてもよい。この場合、ドラムユニットは、現像ユニットが装置本体から離脱されることにより、装置本体からの離脱の規制が解除される。
【００２７】
このような構成によれば、現像ユニットが装置本体に装着されているときに、規制部材によって、ドラムユニットの装置本体からの離脱が規制され、現像ユニットの装置本体からの離脱により、露光ユニットを近接位置から退避位置へ移動させるとともに、ドラムユニットの装置本体からの離脱の規制が解除される。
【００２８】
そのため、露光ユニットが感光ドラムから退避された後に、ドラムユニットを装置本体から離脱することができる。
【００２９】
その結果、ドラムユニットを着脱するときに感光ドラムと露光装置とが互いに干渉することを防止できる。
【００３０】
また、現像ユニットは、内部の現像剤の再充填などのメンテナンスにより、ドラムユニットに比べて頻繁に交換される。
【００３１】
上記の構成によれば、ドラムユニットを装置本体から離脱させることなく、現像ユニットだけを装置本体に対して着脱させることができる。
【００３２】
そのため、頻度の高い現像ユニットのメンテナンスを容易に実施することができる。
【００３３】
また、現像ユニットをメンテナンスするときにドラムユニットを装置本体に対して着脱させる構成と比べて、ドラムユニットの装置本体に対する着脱頻度を低下させることができる。
【００３４】
そのため、ドラムユニットの装置本体に対する位置決め精度を長期間にわたって確保することができる。
（４）また、規制部材は、現像ユニットに一体的に設けられていてもよい。
【００３５】
このような構成によれば、簡易な構成で、現像ユニットの装置本体からの離脱によって、ドラムユニットの装置本体からの離脱の規制を解除することができる。
（５）また、露光ユニットは、感光ドラムを露光するための光を発光する発光部と、発光部と感光ドラムとの間隔を調整する間隔調整部材とを備えてもよい。
【００３６】
このような構成によれば、間隔調整部材により、発光部を感光ドラムに対して確実に位置決めすることができる。
（６）また、現像ユニットは、対応する現像ユニットが装置本体から離脱されるときに、露光ユニットを近接位置から退避位置へ変位させ、対応する現像ユニットが装置本体に装着されるときに、露光ユニットを退避位置から近接位置へ変位させてもよい。
【００３７】
このような構成によれば、現像ユニットを利用して、露光ユニットを近接位置と退避位置とに変位させることができる。
【００３８】
そのため、簡易な構成で、現像ユニットの装置本体からの離脱動作に連動して、露光ユニットを近接位置から退避位置へ移動させることができるとともに、現像ユニットの装置本体への装着動作に連動して、露光ユニットを退避位置から近接位置へ移動させることができる。
（７）また、現像ユニットは、移動部材を備えてもよい。
【００３９】
このような構成によれば、現像ユニットの移動と移動部材の移動とを確実に連動させることができる。
（８）また、被作用部は、対応する現像ユニットが装置本体に装着されるときに、作用部によって、露光ユニットを感光ドラムに近接させる方向に押圧されてもよい。
【００４０】
このような構成によれば、現像ユニットを装置本体に装着するときに、作用部の被作用部に対する当接により、露光ユニットを感光ドラムに近接させる方向に押圧することができる。
【００４１】
そのため、現像ユニットの装置本体への装着動作に連動して、露光ユニットを退避位置から近接位置へ確実に移動させることができる。
（９）また、作用部および被作用部の少なくとも一方は、現像ユニットの装着方向下流側から装着方向上流側へ向かうに従って、露光ユニットの感光ドラムに対する近接方向へ傾斜する傾斜部を備えてもよい。
【００４２】
このような構成によれば、傾斜部により、露光ユニットを、感光ドラムに対する近接方向へ、円滑に移動させることができる。
（１０）また、本発明の現像ユニットは、上記の画像形成装置の装置本体に対して、軸線方向に着脱可能である。
【００４３】
このような構成によれば、現像ユニットが装置本体に装着されているときに、ドラムユニットの装置本体からの離脱を規制し、現像ユニットの装置本体からの離脱により、露光ユニットを感光ドラムから退避させるとともに、ドラムユニットの装置本体からの離脱の規制を解除することができる。
【００４４】
そのため、露光ユニットが感光ドラムから退避された後に、ドラムユニットを装置本体から離脱することができる。
【００４５】
そのため、ドラムユニットを着脱するときに感光ドラムと露光装置とが互いに干渉することを防止できる。
【発明の効果】
【００４６】
本発明の画像形成装置および現像ユニットによれば、感光ドラムを有する複数のドラムユニットの並列方向において画像形成装置の小型化を図ることができる。
【図面の簡単な説明】
【００４７】
【図１】図１は、本発明の画像形成装置の第１実施形態としてのプリンタ１を示す前上側から見た斜視図である。
【図２】図２は、図１に示す前記プリンタ１の中央断面図である。
【図３】図３は、図１に示すＬＥＤユニット１２の右側面図である。
【図４】図４は、図３に示す前記ＬＥＤユニット１２を説明する説明図であって、（ａ）は、図３のＡ−Ａ断面図を示し、（ｂ）は、図３のＢ−Ｂ断面図を示す。
【図５】図５は、図１に示す現像ユニット１１の本体ケーシング２からの離脱動作を説明する説明図であって、（ａ）は、前記プリンタ１を前上側から見た斜視図であり、（ｂ）は、前記ＬＥＤユニット１２の右側面図である。
【図６】図６は、図１に示すドラムユニット１０の前記本体ケーシング２からの離脱動作を説明する説明図であって、前記プリンタ１を前上側から見た斜視図である。
【図７】図７は、前記プリンタ１の第２実施形態を説明する説明図であって、前記ＬＥＤユニット１２の右側面図であり、（ａ）は、現像ユニット６０が前記本体ケーシング２に装着された状態を示し、（ｂ）は、前記現像ユニット６０が前記本体ケーシング２から離脱される途中の状態を示す。
【図８】図８は、前記プリンタ１の第３実施形態を説明する説明図であって、前記ＬＥＤユニット１２の右側面図であり、（ａ）は、前記現像ユニット６０が前記本体ケーシング２から離脱される途中の状態を示し、（ｂ）は、前記現像ユニット６０が前記本体ケーシング２に装着された状態を示す。
【図９】図９は、前記プリンタ１の第４実施形態を説明する説明図であって、現像ユニット９０を前上側から見た斜視図であり、（ａ）は、前記現像ユニット９０が前記本体ケーシング２に装着された状態を示し、（ｂ）は、前記現像ユニット９０が前記本体ケーシング２から離脱される途中の状態を示す。
【発明を実施するための形態】
【００４８】
１．プリンタの全体構成
図１および図２に示すように、画像形成装置の一例としてのプリンタ１は、中間転写型カラープリンタである。
【００４９】
また、プリンタ１は、装置本体の一例としての本体ケーシング２と、原稿の画像情報を読み取るフラットベッドスキャナ３とを一体的に備える複合機である。
（１）本体ケーシング
本体ケーシング２は、図１に示すように、略ボックス形状に形成されており、その一方側壁には、本体開口部４が形成されている。また、本体ケーシング２は、本体開口部４を開閉するフロントカバー５が、その下端部を支点として揺動可能に設けられている。
【００５０】
なお、以下の説明において、フロントカバー５が設けられる側、即ち図１における紙面手前側を前側とし、その反対側、即ち図１における紙面奥側を後側とする。また、プリンタ１を前側から見たときを左右の基準とする。すなわち、図１の紙面右側が右側であり、紙面左側が左側である。
【００５１】
本体ケーシング２は、用紙Ｐを給紙するための給紙部６と、給紙された用紙Ｐに画像を形成するための画像形成部７と、画像が形成された用紙Ｐを排紙するための排紙部８とを備えている。
（２）給紙部
給紙部６は、本体ケーシング２の底部に設けられ、用紙Ｐを収容する給紙トレイ９を着脱可能に備えている。
【００５２】
給紙トレイ９内の用紙Ｐは、各種ローラによって１枚ずつ搬送され、レジストローラ３５によってレジストされ、所定のタイミングで、後述する中間転写ベルト２４と、後述する二次転写ローラ２１との間に給紙される。
（３）画像形成部
画像形成部７は、給紙部６の上側に配置されており、４つのドラムユニット１０と、４つの現像ユニット１１と、４つの露光ユニットの一例としてのＬＥＤユニット１２と、転写ユニット１３と、定着ユニット１４とを備えている。
（３−１）ドラムユニット
４つのドラムユニット１０のそれぞれは、ブラック、イエロー、マゼンタおよびシアンの４つの色のそれぞれに１つずつ対応して設けられ、互いに左右方向に間隔を隔てて並列配置されている。ドラムユニット１０は、図６に示すように、前後方向に長手の略角筒形状に形成され、本体ケーシング２に対して前後方向に沿って着脱可能に設けられている。なお、ドラムユニット１０は、その前壁において、前側へ突出する取っ手３１を備えている。
【００５３】
ドラムユニット１０は、ドラムフレーム３２と、感光ドラム１５と、スコロトロン型帯電器１６とを備えている。
【００５４】
ドラムフレーム３２は、前後両端部が閉鎖された略角柱形状に形成されている。ドラムフレーム３２の上端部と左下側端部とには、感光ドラム１５を露出させる開口３３が形成されている。また、ドラムフレーム３２の上端部の左右両端部には、左右方向外側へ突出するとともに前後方向に延びる突条３４が形成されている。
【００５５】
感光ドラム１５は、軸線方向の一例としての前後方向に長手の略円筒形状に形成されており、ドラムフレーム３２内に回転可能に支持されている。
【００５６】
スコロトロン型帯電器１６は、感光ドラム１５の右側において、感光ドラム１５に間隔を隔てて対向配置されるように、ドラムフレーム３２に支持されている。
（３−２）現像ユニット
４つの現像ユニット１１のそれぞれは、４つのドラムユニット１０のそれぞれの左下側に、１つずつ対向配置されている。現像ユニット１１は、本体ケーシング２に対して前後方向に沿って着脱可能に設けられている。また、現像ユニット１１は、現像ローラ１７を備えている。
【００５７】
現像ローラ１７は、現像ユニット１１の上端において、上側から露出されるように回転可能に支持されており、対応するドラムユニット１０の感光ドラム１５に対して下側から接触されている。
【００５８】
なお、現像ユニット１１は、現像ローラ１７にトナーを供給する供給ローラ１８、現像ローラ１７に供給されたトナーの厚みを規制する層厚規制ブレード１９を備えている。また、現像ユニット１１には、供給ローラ１８の下側において、現像剤の一例としてのトナーが収容されている。
（３−２）ＬＥＤユニット
４つのＬＥＤユニット１２のそれぞれは、４つのドラムユニット１０のそれぞれの下側に１つずつ、感光ドラム１５に対向するように配置されている。ＬＥＤユニット１２は、所定の画像データに基づいて、対応する感光ドラム１５の表面を露光する。
（３−３）転写ユニット
転写ユニット１３は、ベルトユニット２０と二次転写ローラ２１とを備えている。
【００５９】
ベルトユニット２０は、すべての感光ドラム１５に上側から対向するように、左右方向に沿って配置されている。
【００６０】
ベルトユニット２０は、駆動ローラ２２、従動ローラ２３、無端ベルトの一例としての中間転写ベルト２４、および、４つの一次転写ローラ２５を備えている。
【００６１】
駆動ローラ２２および従動ローラ２３は、左右方向に間隔を隔てて対向配置されている。
【００６２】
中間転写ベルト２４は、その下側部分がすべての感光ドラム１５に接触されるように、駆動ローラ２２および従動ローラ２３の周りに掛け渡されている。また、中間転写ベルト２４は、駆動ローラ２２の駆動により、その下側部分が左側から右側に向かって移動するように、周回移動される。
【００６３】
複数の一次転写ローラ２５のそれぞれは、複数のドラムユニット１０のそれぞれの感光ドラム１５に対して、中間転写ベルト２４の下側部分を挟んで対向するように設けられている。
【００６４】
二次転写ローラ２１は、ベルトユニット２０の駆動ローラ２２と、中間転写ベルト２４を挟んで対向するように、ベルトユニット２０の右側に設けられている。
（３−４）定着ユニット
定着ユニット１４は、二次転写ローラ２１の上側に配置され、加熱ローラ２６、および、加熱ローラ２６に対向する加圧ローラ２７を備えている。
（３−５）画像形成動作
（３−５−１）現像動作
現像ユニット１１内のトナーは、供給ローラ１８に供給され、さらに、現像ローラ１７に供給される。
【００６５】
現像ローラ１７に供給されたトナーは、現像ローラ１７の回転に伴って、供給ローラ１８と現像ローラ１７との間で正極性に摩擦帯電され、層厚規制ブレード１９によって厚さが規制されて、一定厚さの薄層として現像ローラ１７の表面に担持される。
【００６６】
一方、感光ドラム１５の表面は、感光ドラム１５の回転に伴って、スコロトロン型帯電器１６により一様に正帯電された後、ＬＥＤユニット１２により露光される。これにより、用紙Ｐに形成すべき画像に対応した静電潜像が感光ドラム１５の表面に形成される。
【００６７】
感光ドラム１５がさらに回転すると、現像ローラ１７の表面に担持されているトナーが、感光ドラム１５の静電潜像に供給される。これにより、感光ドラム１５の表面には、反転現像によるトナー像、即ち現像剤像が担持される。
（３−５−２）転写・定着動作
感光ドラム１５の表面に担持されたトナー像は、左側から右側へ移動される中間転写ベルト２４の下側部分に一次転写される。
【００６８】
中間転写ベルト２４に転写されたトナー像は、中間転写ベルト２４が二次転写ローラ２１との対向位置を通過する間に、給紙部６から供給される用紙Ｐに、二次転写される。
【００６９】
そして、用紙Ｐに転写されたトナー像は、定着ユニット１４において、用紙Ｐが加熱ローラ２６と加圧ローラ２７との間を通過する間に、加熱および加圧されることによって用紙Ｐに熱定着される。
（４）排紙部
本体ケーシング２の上面には、用紙Ｐが排紙される排紙トレイ２８が形成されている。そして、排紙部８は、本体ケーシング２の右側上端部において、排紙トレイ２８よりも上側へ突出するように形成されている。
【００７０】
排紙部８には、排紙トレイ２８よりも上側において、用紙Ｐを排紙する排紙口２９が形成されている。また、排紙部８は、排紙口２９内において、用紙Ｐを排紙トレイ２８へ搬送する３つの排紙ローラ３０を備えている。
【００７１】
定着ユニット１４においてトナー像が定着された用紙Ｐは、各排紙ローラ３０によって、排紙トレイ２８上に排紙される。
（５）フラットベッドスキャナ
フラットベッドスキャナ３は、排紙トレイ２８の上方に間隔を隔てて、排紙部８の上端部に支持されている。
２．ＬＥＤユニット
ＬＥＤユニット１２は、図３および図４に示すように、発光部の一例としてのＬＥＤアレイ４１と、ＬＥＤアレイ４１を支持する第１フレーム４２と、第１フレーム４２を支持する第２フレーム４３とを備えている。
【００７２】
ＬＥＤアレイ４１は、ＬＥＤユニット１２の上端部に配置されている。ＬＥＤアレイ４１は前後方向に延びる略平板状に形成され、前後方向に並列配置される多数のＬＥＤを一体的に保持している。ＬＥＤアレイ４１の前後方向長さは、感光ドラム１５の前後方向長さよりも短く、感光ドラム１５の通紙領域の前後方向長さよりも長い。
【００７３】
第１フレーム４２は、ＬＥＤアレイ４１の下側に配置されている。第１フレーム４２は、前後上下に延び、前後方向に長手の略平板形状に形成されている。第１フレーム４２の前後方向長さは、感光ドラム１５の前後方向長さよりも短く、ＬＥＤアレイ４１の前後方向長さよりも長い。第１フレーム４２は、その上端部において、ＬＥＤアレイ４１を支持している。
【００７４】
また、第１フレーム４２は、２つの間隔調整部材の一例としての位置決めころ４４と、後述する圧縮ばね４７を支持する２つのばね支持部４５と、後述する第２フレーム４３のガイド穴４９に挿通される２つのガイドボス４８とを有している。
【００７５】
２つの位置決めころ４４のそれぞれは、略円板形状に形成され、第１フレーム４２の上端部の前後両端部に１つずつ回転可能に支持されている。また、位置決めころ４４は、ＬＥＤアレイ４１よりも上側に向かってわずかに突出するように設けられ、感光ドラム１５に下側から当接されている。これにより、位置決めころ４４は、ＬＥＤアレイ４１を、感光ドラム１５に対して、位置決めころ４４の突出長さに相当する間隔を隔てて対向するように位置決めしている。
【００７６】
２つのばね支持部４５のそれぞれは、第１フレーム４２の前後両端部に１つずつ設けられ、第１フレーム４２の下端縁から上側へ凹む凹溝として形成されている。ばね支持部４５には、支持ボス４６と圧縮ばね４７とが設けられている。
【００７７】
支持ボス４６は、ばね支持部４５の前後方向内面に対して間隔を隔てて、ばね支持部４５の上側内面の前後方向中央から下側へ向かって延びる略円柱形状に形成されている。
【００７８】
圧縮ばね４７は、支持ボス４６に対して遊びを有して、支持ボス４６の径方向外側から嵌合されるように、ばね支持部４５内に支持されている。圧縮ばね４７の上端部は、ばね支持部４５の上側内面に当接されている。また、圧縮ばね４７の上下方向長さは、ばね支持部４５の上下方向長さよりも長く、圧縮ばね４７の下端部は、ばね支持部４５から下側へ突出されている。
【００７９】
２つのガイドボス４８のそれぞれは、第１フレーム４２の前後両端部に１つずつ設けられ、第１フレーム４２の前後方向外面から前後方向外側へ延びる略角柱形状に形成されている。
【００８０】
第２フレーム４３は、第１フレーム４２の下側に対向配置されている。第２フレーム４３は、前後両側および下側から第１フレーム４２を囲むように、上側が開放された側面視略矩形枠形状に形成されている。
【００８１】
また、第２フレーム４３は、図４（ａ）に示すように、２つの被作用部４０と、２つのガイド穴４９とを有している。
【００８２】
２つの被作用部４０のそれぞれは、第２フレーム４３の前後両端部に１つずつ設けられている。被作用部４０は、第２フレーム４３の下端縁から下側へ向かって突出する側面視略台形状に形成されている。詳しくは、被作用部４０は、前側から後側へ向かうに従って下側へ傾斜される傾斜部の一例としての前面５０と、前面５０の後端部に連続して後側へ延びる下面５１と、下面５１の後端部に連続して前側から後側へ向かうに従って上側へ傾斜される後面５２とを有している。また、後側の被作用部４０の前後方向長さおよび上下方向長さは、前側の被作用部４０のサイズよりも大きく形成されている。
【００８３】
２つのガイド穴４９のそれぞれは、第２フレーム４３の前後両側壁の上下方向略中央に１つずつ、上下方向に長手の正面視略矩形状に貫通形成されている。ガイド穴４９の上下方向長さは、ガイドボス４８の上下方向長さよりも長く、ガイド穴４９の左右方向長さは、ガイドボス４８の左右方向長さよりもわずかに長い。
【００８４】
そして、第１フレーム４２は、ガイドボス４８がガイド穴４９に左右方向内側から挿通されるように、第２フレーム４３に支持されている。このとき、圧縮ばね４７の下端部は、被作用部４０の上側において、第２フレーム４３の上壁に上側から当接されている。これにより、第１フレーム４２は、第２フレーム４３に対して上下方向に弾性的にスライド可能である。
【００８５】
また、第２フレーム４３は、本体ケーシング２内において、上下方向に移動可能に支持されている。
【００８６】
これにより、ＬＥＤユニット１２は、図３に示すように、位置決めころ４４が感光ドラム１５に当接される近接位置と、図５（ｂ）に示すように、位置決めころ４４が感光ドラム１５から離間される離間位置とに上下方向に移動される。
４．現像ユニット
現像ユニット１１は、図１および図２に示すように、ユニット本体６１と、ユニット本体６１を支持する支持フレーム６２とを備えている。
【００８７】
ユニット本体６１は、図５（ａ）に示すように、前後方向に延びる略筒形状に形成されている。ユニット本体６１は、現像ローラ１７、供給ローラ１８および層厚規制ブレード１９を備え、トナーを収容している。また、ユニット本体６１は、後述するトレイ部６３上において、支持フレーム６２に支持されている。
【００８８】
支持フレーム６２は、ユニット本体６１を支持するトレイ部６３と、ＬＥＤユニット１２を変位させる移動部材の一例としてのカム部６４と、ドラムユニット１０の前壁に対向する規制部材の一例としての前壁６５とを一体的に備えている。
【００８９】
トレイ部６３は、支持フレーム６２の下端部において、前後方向に延び、上側が開放された断面視略Ｕ字形の枠形状に形成されている。トレイ部６３の左右方向長さは、ユニット本体６１の左右方向長さよりも長い。
【００９０】
カム部６４は、図３および図４に示すように、トレイ部６３の右側に連続して、前後方向に延びる略角柱形状に形成されている。詳しくは、カム部６４は、２つの作用部６６を備えている。
【００９１】
２つの作用部６６のそれぞれは、カム部６４の前後両端部に１つずつ設けられている。
【００９２】
前側の作用部６６は、カム部６４の上面から上側へ膨出し、前後方向へ延びる側面視略矩形状に形成されている。詳しくは、前側の作用部６６は、カム部６４の上面から連続して、前側へ向かうに従って上側へ傾斜される傾斜部の一例としての後面６７と、後面６７の前端部に連続して前側へ延びる上面６８とを有している。
【００９３】
後側の作用部６６は、カム部６４の後端部であって、その上面６９は、カム部６４の上面から連続して、前側へ向かうに従って上側へ傾斜されるように、切り欠かれている。後側の作用部６６の上面６９は、傾斜部として機能する。
【００９４】
前壁６５は、支持フレーム６２の前端部において、トレイ部６３およびカム部６４から上側へ延びる正面視略矩形平板形状に形成されている。前壁６５の右上側端部は、ドラムユニット１０の前壁の左下側端部に、前側から対向配置されている。前壁６５は、その下側半分において、前側へ膨出する取っ手７０を備えている。
【００９５】
そして、現像ユニット１１が本体ケーシング２に装着されているときには、ＬＥＤユニット１２の前側の被作用部４０が、前側の作用部６６の上面６８に当接されるとともに、ＬＥＤユニット１２の後側の被作用部４０が、カム部６４の上面に当接されている。
５．本体ケーシング
本体ケーシング２内には、図２に示すように、ドラムユニット１０を収容するドラムユニット収容部３６と、現像ユニット１１を収容する現像ユニット収容部３７と、ＬＥＤユニット１２を支持するＬＥＤ支持フレーム７１とを備えている。
【００９６】
ドラムユニット収容部３６は、ベルトユニット２０の下側において、ドラムユニット１０を受け入れ可能な正面視略矩形状に形成されている。また、ドラムユニット収容部３６の左右方向両端部には、支持レール３８が設けられている。
【００９７】
支持レール３８は、前後方向に延び、左右方向内側へ向かって開放される正面視略Ｕ字形状の溝として形成されている。支持レール３８の溝幅は、ドラムユニット１０の突条３４を受け入れ可能に、突条３４の上下方向長さよりも長い。
【００９８】
現像ユニット収容部３７は、ドラムユニット収容部３６の左下側に連続され、現像ユニット１１を受け入れ可能な正面視略矩形状に形成されている。
【００９９】
ＬＥＤ支持フレーム７１は、ドラムユニット収容部３６の下側おいて、本体ケーシング２に固定されている。ＬＥＤ支持フレーム７１は、前後方向に延びる略角柱形状に形成され、その左端部において、ＬＥＤユニット１２をスライド可能に支持する支持溝７２が形成されている。
【０１００】
支持溝７２は、上下方向に延び、上下両端が開放された正面視略直線形状に形成されている。そして、支持溝７２の上端部からＬＥＤアレイ４１が上側へ突出されるとともに、支持溝７２の下端部から第２フレーム４３が下側へ突出されている。また、支持溝７２の下側には、現像ユニット１１のカム部６４が対向配置される。
６．現像ユニットおよびドラムユニットの本体ケーシングに対する着脱
まず、図５および図６を参照して、現像ユニット１１およびドラムユニット１０の本体ケーシングからの離脱を説明する。
【０１０１】
現像ユニット１１およびドラムユニット１０を本体ケーシング２から離脱させるには、まず、現像ユニット１１を本体ケーシング２から離脱させる。
【０１０２】
現像ユニット１１を本体ケーシング２から離脱させるには、図５（ａ）に示すように、支持フレーム６２の取っ手７０を把持して、現像ユニット１１を前側へ引き抜く。すると、カム部６４が前側へスライドされ、ＬＥＤユニット１２の前側の被作用部４０が、前側の作用部６６の後面６７に対向されるとともに、ＬＥＤユニット１２の後側の被作用部４０が、後側の作用部６６の上面６９に対向される。
【０１０３】
すると、ＬＥＤユニット１２の前側の被作用部４０が、カム部６４の前側の作用部６６の後面６７の傾斜に沿って、下側へ移動されるとともに、ＬＥＤユニット１２の後側の被作用部４０が、後側の作用部６６の上面６９の傾斜に沿って、下側へ移動される。
【０１０４】
これにより、ＬＥＤユニット１２は、感光ドラム１５から離間するように、近接位置から下側へ移動されて、離間位置に配置される。そして、さらに現像ユニット１１を前側へ引き抜くと、現像ユニット１１が本体ケーシング２から離脱される。
【０１０５】
そして、現像ユニット１１が本体ケーシング２から離脱されると、前壁６５とドラムユニット１０との対向が解除され、ドラムユニット１０の前側へのスライドが許容される。
【０１０６】
そして、ドラムユニット１０を本体ケーシング２から離脱させるには、図６に示すように、ドラムユニット１０の取っ手３１を把持して、ドラムユニット１０を前側へ引き抜く。すると、ドラムユニット１０が本体ケーシング２から離脱される。
【０１０７】
これにより、現像ユニット１１およびドラムユニット１０の本体ケーシングからの離脱が完了する。
【０１０８】
次いで、現像ユニット１１およびドラムユニット１０の本体ケーシング２への装着を説明する。
【０１０９】
現像ユニット１１およびドラムユニット１０を本体ケーシング２へ装着するには、上記した離脱動作と逆に、現像ユニット１１およびドラムユニット１０を操作する。
【０１１０】
具体的には、まず、ドラムユニット１０を本体ケーシング２へ装着する。
【０１１１】
ドラムユニット１０を本体ケーシング２へ装着するには、図６に示すように、支持フレーム６２の取っ手７０を把持して、ドラムユニット１０の後端部を、突条３４をドラムユニット収容部３６の支持レール３８に嵌合させるように、ドラムユニット収容部３６内に挿入する。
【０１１２】
そして、ドラムユニット１０を後側へ向かって押圧すると、ドラムユニット１０は、突条３４が支持レール３８に案内されるように、ドラムユニット収容部３６内に収容される。これにより、ドラムユニット１０の本体ケーシング２へ装着が完了する。
【０１１３】
次いで、現像ユニット１１を本体ケーシング２へ装着する。
【０１１４】
現像ユニット１１を本体ケーシング２へ装着するには、図５（ａ）に示すように、支持フレーム６２の取っ手７０を把持して、現像ユニット１１の後端部を、現像ユニット収容部３７内に挿入し、前側、即ち装着方向上流側から、後側、即ち装着方向下流側へ向かって押し込む。
【０１１５】
すると、カム部６４の後端部が、ＬＥＤユニット１２の前側の被作用部４０の下側を通過するように、現像ユニット収容部３７内に挿入され、後側の作用部６６の上面６９が、ＬＥＤユニット１２の後側の被作用部４０の前面５０に対向されるとともに、前側の作用部６６の後面６７が、ＬＥＤユニット１２の前側の被作用部４０の前面５０に対向される。
【０１１６】
そして、さらに、現像ユニット１１を現像ユニット収容部３７内に挿入すると、ＬＥＤユニット１２の前側の被作用部４０の前面５０と、カム部６４の前側の作用部６６の後面６７とが摺動されるとともに、ＬＥＤユニット１２の後側の被作用部４０の前面５０と、後側の作用部６６の上面６９とが摺動されて、ＬＥＤユニット１２が、感光ドラム１５へ向かって近接するように、離間位置から上側、即ち近接方向へ移動される。
【０１１７】
そして、さらに、現像ユニット１１を現像ユニット収容部３７内に挿入すると、ＬＥＤユニット１２の位置決めころ４４が感光ドラム１５の周面に当接されて、ＬＥＤユニット１２が感光ドラム１５に対して位置決めされる。
【０１１８】
同時に、現像ユニット１１の前壁６５がドラムユニット１０に対向されて、現像ユニット１１の本体ケーシング２への装着が完了する。
【０１１９】
これにより、現像ユニット１１およびドラムユニット１０の本体ケーシングへの装着が完了する。
６．作用効果
（１）このプリンタ１および現像ユニット１１によれば、図３および図５に示すように、ＬＥＤユニット１２のＬＥＤアレイ４１よりも下側に配置されるカム部６４を前後方向へ移動させるという簡易な構成により、ＬＥＤユニット１２を、感光ドラム１５に近接される近接位置と、感光ドラム１５から退避される退避位置とに移動させることができる。
【０１２０】
つまり、簡易な構成で、カム部６４の移動により生じる前後方向への力を、ＬＥＤユニット１２の感光ドラム１５に対する近接・離間方向への力に変換することができる。
【０１２１】
そのため、簡易な構成で、現像ユニット１１の本体ケーシング２からの離脱動作に連動して近接位置から退避位置へ移動させることができるとともに、現像ユニット１１の本体ケーシング２への装着動作に連動して退避位置から近接位置へ移動させることができる。
【０１２２】
その結果、感光ドラム１５を有する４つのドラムユニット１０の並列方向、即ち左右方向においてプリンタ１の小型化を図ることができる。
（２）また、このプリンタ１および現像ユニット１１によれば、図２に示すように、中間転写ベルト２４の下側のスペースに、ドラムユニット１０、ＬＥＤユニット１２およびカム部６４を、上側から下側へ向かって順次、配置することができる。
【０１２３】
そのため、用紙Ｐを中間転写ベルト２４に向かって下側から上側へ搬送する途中の空間に、ドラムユニット１０、ＬＥＤユニット１２およびカム部６４を効率よく配置することができる。
【０１２４】
また、この空間を利用して、用紙Ｐをレジストするレジストローラ３５を効率よく配置することができる。
【０１２５】
その結果、上下方向においてプリンタ１の小型化を図ることができる。
（３）このプリンタ１および現像ユニット１１によれば、図５に示すように、現像ユニット１１が本体ケーシング２に装着されているときに、現像ユニット１１の前壁６５によって、ドラムユニット１０の本体ケーシング２からの離脱を規制し、現像ユニット１１の本体ケーシング２からの離脱により、ＬＥＤユニット１２を近接位置から退避位置へ移動させるとともに、ドラムユニット１０の本体ケーシング２からの離脱の規制を解除することができる。
【０１２６】
そのため、ＬＥＤユニット１２が感光ドラム１５から退避された後に、ドラムユニット１０を本体ケーシング２から離脱することができる。
【０１２７】
そのため、ドラムユニット１０を着脱するときに感光ドラム１５とＬＥＤユニット１２とが互いに干渉することを防止できる。
【０１２８】
また、現像ユニット１１は、トナーの再充填などのメンテナンスにより、ドラムユニット１０に比べて頻繁に交換される。
【０１２９】
上記の構成によれば、ドラムユニット１０を本体ケーシング２から離脱させることなく、現像ユニット１１だけを本体ケーシング２に対して着脱させることができる。
【０１３０】
そのため、頻度の高い現像ユニット１１のメンテナンスを容易に実施することができる。
【０１３１】
また、現像ユニット１１をメンテナンスするときにドラムユニット１０を本体ケーシング２に対して着脱させる構成と比べて、ドラムユニット１０の本体ケーシング２に対する着脱頻度を低下させることができる。
【０１３２】
そのため、ドラムユニット１０の本体ケーシング２に対する位置決め精度を長期間にわたって確保することができる。
（４）また、このプリンタ１および現像ユニット１１によれば、図３に示すように、現像ユニット１１は、前壁６５を一体的に備えている。
【０１３３】
そのため、簡易な構成で、現像ユニット１１の本体ケーシング２からの離脱によって、ドラムユニット１０の本体ケーシング２からの離脱の規制を解除することができる。
（５）また、このプリンタ１および現像ユニット１１によれば、図３に示すように、ＬＥＤユニット１２は、感光ドラム１５を露光するための光を発光するＬＥＤアレイ４１と、ＬＥＤアレイ４１と感光ドラム１５との間隔を調整する位置決めころ４４とを備えている。
【０１３４】
そのため、位置決めころ４４により、ＬＥＤアレイ４１を感光ドラム１５に対して確実に位置決めすることができる。
（６）また、このプリンタ１および現像ユニット１１によれば、図３に示すように、現像ユニット１１は、本体ケーシング２から離脱されるときに、ＬＥＤユニット１２を近接位置から退避位置へ変位させ、本体ケーシング２に装着されるときに、ＬＥＤユニット１２を退避位置から近接位置へ変位させる作用部６６を備えている。
【０１３５】
そのため、現像ユニット１１を利用して、ＬＥＤユニット１２を近接位置と退避位置とに変位させることができる。
【０１３６】
その結果、簡易な構成で、現像ユニット１１の本体ケーシング２からの離脱動作に連動して、ＬＥＤユニット１２を近接位置から退避位置へ移動させることができるとともに、現像ユニット１１の本体ケーシング２への装着動作に連動して、ＬＥＤユニット１２を退避位置から近接位置へ移動させることができる。
（７）また、このプリンタ１および現像ユニット１１によれば、図３に示すように、現像ユニット１１は、カム部６４を備えている。
【０１３７】
そのため、現像ユニット１１の移動に伴って、カム部６４を確実に移動させることができる。
（８）また、このプリンタ１および現像ユニット１１によれば、図５および図６に示すように、現像ユニット１１を本体ケーシング２に装着するときに、現像ユニット１１の作用部６６のＬＥＤユニット１２の被作用部４０への当接により、ＬＥＤユニット１２を感光ドラム１５に近接させることができる。
【０１３８】
そのため、現像ユニット１１の本体ケーシング２への装着動作に連動して、ＬＥＤユニット１２を退避位置から近接位置へ確実に移動させることができる。
（９）また、このプリンタ１および現像ユニット１１によれば、図５および図６に示すように、前側の作用部６６の後面６７と、前側の被作用部４０の前面５０との摺動、および、後側の作用部６６の上面６９と、後側の被作用部４０の前面５０との摺動により、ＬＥＤユニット１２を、感光ドラム１５に対して近接するように上側、即ち近接方向へ、円滑に移動させることができる。
７．第２実施形態
図７を参照して、プリンタ１の第２実施形態を説明する。なお、第２実施形態において、上記した第１実施形態と同様の部材には同様の符号を付し、その説明を省略する。
（１）第２実施形態の構成
上記した第１実施形態では、現像ユニット１１の支持フレーム６２において、トレイ部６３の右側にカム部６４を一体的に設けている。
【０１３９】
対して、第２実施形態では、図７に示すように、現像ユニット６０の支持フレーム６２にカム部６４を設けずに、本体ケーシング２に、ＬＥＤユニット１２を近接位置と退避位置とに変位させる移動部材の一例としての直動カム８１を設ける。
【０１４０】
直動カム８１は、ＬＥＤユニット１２の下側に設けられている。直動カム８１は、第１実施形態の支持フレーム６２のカム部６４と同様に、前後方向に延びる略角柱形状に形成されている。詳しくは、直動カム８１は、２つの作用部８２を備えている。
【０１４１】
２つの作用部８２のそれぞれは、直動カム８１の前後両端部に１つずつ設けられている。
【０１４２】
前側の作用部８２は、直動カム８１の上面から上側へ膨出し、前後方向に延びる側面視略矩形状に形成されている。詳しくは、前側の作用部８２は、直動カム８１の上面から連続して、前側へ向かうに従って上側へ傾斜される傾斜部の一例としての後面８３と、後面８３の前端部に連続して前側へ延びる上面８４とを有している。
【０１４３】
後側の作用部８２は、直動カム８１の後端部であって、その上面８５は、直動カム８１の上面から連続して、前側へ向かうに従って上側へ傾斜されるように、切り欠かれている。後側の作用部８２の上面８５は、傾斜部として機能する。
【０１４４】
そして、直動カム８１は、本体ケーシング２内において、図７（ｂ）に示すように、その前端部が本体開口部４から前側へ進出する進出位置と、図７（ａ）に示すように、その後端部が本体開口部４内へ退避する退避位置とに、前後方向にスライド可能に支持されている。
【０１４５】
また、直動カム８１の後端部には、前後方向に延びる圧縮コイルばね８７の前端部が当接されている。なお、圧縮コイルばね８７の後端部は、本体ケーシング２の後壁に当接されている。
【０１４６】
これにより、直動カム８１は、常には、進出位置に向かって前側へ付勢されている。
【０１４７】
また、前壁６５は、その右側下端部において、直動カム８１の前端部を後側へ押圧する押圧部８６を備えている。
【０１４８】
押圧部８６は、前壁６５の後面から後側へ膨出するように、正面視略矩形の柱形状に形成されている。
【０１４９】
そして、現像ユニット６０が本体ケーシング２に装着されているときには、押圧部８６が直動カム８１の前端部に前側から当接されており、直動カム８１は、圧縮コイルばね８７の付勢力に抗して、退避位置に配置されている。
【０１５０】
直動カム８１が退避位置に配置されているとき、ＬＥＤユニット１２の前側の被作用部４０は、直動カム８１の前側の作用部８２の上面８４に当接され、ＬＥＤユニット１２の後側の被作用部４０は、直動カム８１の上面に当接されている。
（２）第２実施形態における現像ユニットの着脱
第２実施形態では、現像ユニット６０の本体ケーシング２からの離脱動作において、図７（ｂ）に示すように、現像ユニット６０を前側へ引き抜くと、圧縮コイルばね８７の付勢力により、直動カム８１が退避位置から進出位置へ向かってスライドされ、ＬＥＤユニット１２の前側の被作用部４０が、前側の作用部８２の後面８３に対向されるとともに、ＬＥＤユニット１２の後側の被作用部４０が、後側の作用部８２の上面８５に対向される。
【０１５１】
すると、ＬＥＤユニット１２の前側の被作用部４０が、カム部６４の前側の作用部８２の後面８３の傾斜に沿って、下側へ移動されるとともに、ＬＥＤユニット１２の後側の被作用部４０が、後側の作用部８２の上面８５の傾斜に沿って、下側へ移動される。
【０１５２】
これにより、ＬＥＤユニット１２は、感光ドラム１５から離間するように、近接位置から下側へ移動されて、離間位置に配置される。
【０１５３】
また、現像ユニット６０の本体ケーシング２への装着動作において、現像ユニット６０を現像ユニット収容部３７内に挿入すると、現像ユニット６０の押圧部８６が直動カム８１の前端部に前側から当接され、直動カム８１が、圧縮コイルばね８７の付勢力に抗して、進出位置から退避位置へ移動される。
【０１５４】
すると、後側の作用部８２の上面８５が、ＬＥＤユニット１２の後側の被作用部４０の前面５０に対向されるとともに、前側の作用部８２の後面８３が、ＬＥＤユニット１２の前側の被作用部４０の前面５０に対向される。
【０１５５】
そして、さらに、現像ユニット６０を現像ユニット収容部３７内に挿入すると、ＬＥＤユニット１２の前側の被作用部４０の前面５０と、直動カム８１の前側の作用部８２の後面８３とが摺動されるとともに、ＬＥＤユニット１２の後側の被作用部４０の前面５０と、直動カム８１の後側の作用部８２の上面８５とが摺動されて、ＬＥＤユニット１２が、感光ドラム１５へ向かって近接するように、離間位置から上側へ移動される。
【０１５６】
そして、さらに、現像ユニット６０を現像ユニット収容部３７内に挿入すると、ＬＥＤユニット１２の位置決めころ４４が感光ドラム１５の周面に当接されて、ＬＥＤユニット１２が感光ドラム１５に対して位置決めされる。
（３）第２実施形態の作用効果
第２実施形態のプリンタ１によれば、図７に示すように、直動カム８１により、ＬＥＤユニット１２を、図７（ａ）に示す近接位置と、図７（ｂ）に示す退避位置とに変位させることができる。
【０１５７】
そのため、簡易な構成で、現像ユニット６０の本体ケーシング２からの離脱動作に連動して近接位置から退避位置へ移動させることができるとともに、現像ユニット６０の本体ケーシング２への装着動作に連動して退避位置から近接位置へ移動させることができる。
【０１５８】
また、第２実施形態においても、上記した第１実施形態と同様の作用効果を得ることができる。
８．第３実施形態
図８を参照して、プリンタ１の第３実施形態を説明する。なお、第３実施形態において、上記した第２実施形態と同様の部材には同様の符号を付し、その説明を省略する。
（１）第３実施形態の構成
上記した第２実施形態では、現像ユニット６０の支持フレーム６２において、直動カム８１の作用部８２をＬＥＤユニット１２の被作用部４０に当接させて、ＬＥＤユニット１２を近接位置と退避位置とに変位させている。
【０１５９】
対して、第３実施形態では、図８に示すように、ＬＥＤユニット１２の下側に、ＬＥＤユニット１２の被作用部４０に当接される移動部材の一例としての揺動カム９１を設け、直動カム９６で揺動カム９１を揺動させることにより、ＬＥＤユニット１２を、図８（ｂ）に示す近接位置と、図８（ａ）に示す退避位置とに変位させる。
【０１６０】
揺動カム９１は、図８（ａ）に示すように、直動カム９６が当接されていない状態において、上下方向に延びる略平板形状に形成され、ＬＥＤユニット１２の被作用部４０に当接されるカム部９２と、直動カム９６の作用部９７に当接される被当接部９３とを備えている。
【０１６１】
カム部９２は、揺動カム９１の上端部において、後側へ膨出する略扇形状に形成されている。
【０１６２】
被当接部９３は、揺動カム９１の下端部において、左側、即ち図８における紙面手前側に突出する略角柱形状に形成されている。
【０１６３】
そして、揺動カム９１は、その上端部において、揺動軸９４を支点として、図８（ａ）に示すように、下側へ垂下される第１位置と、図８（ｂ）に示すように、前後方向に延びるように第１位置から後側へ揺動される第２位置とに揺動可能に支持されている。なお、揺動カム９１は、図示しないコイルばねにより、常には、第１位置に向かって付勢されている。
【０１６４】
また、揺動カム９１の上端部、即ち第１位置における上端部と揺動軸９４との距離は、カム部９２の後端部、即ち第１位置における後端部と揺動軸９４との距離よりも短い。
（２）第３実施形態における現像ユニットの着脱
第３実施形態では、現像ユニット６０の本体ケーシング２からの離脱動作において、現像ユニット６０を前側へ引き抜くと、直動カム９６が、図８（ｂ）に示す退避位置から、図８（ａ）に示す進出位置へ向かってスライドされ、直動カム９６の作用部９７が、揺動カム９１の被当接部９３から前側へ離間される。
【０１６５】
すると、揺動カム９１が第１位置へ揺動され、カム部９２がＬＥＤユニット１２の被作用部４０の後下側へ離間される。
【０１６６】
これにより、ＬＥＤユニット１２は、感光ドラム１５から離間するように、近接位置から下側へ移動されて、離間位置に配置される。
【０１６７】
また、現像ユニット６０の本体ケーシング２への装着動作において、現像ユニット６０を現像ユニット収容部３７内に挿入すると、直動カム９６が、進出位置から退避位置へ移動される。
【０１６８】
すると、直動カム９６の作用部９７が、揺動カム９１の被当接部９３に前側から当接される。
【０１６９】
そして、さらに、現像ユニット６０を現像ユニット収容部３７内に挿入すると、揺動カム９１が第１位置から第２位置へ揺動され、揺動カム９１のカム部９２が、ＬＥＤユニット１２の被作用部４０に下側から当接されて、被作用部４０を上側へ押圧する。
【０１７０】
すると、ＬＥＤユニット１２が、感光ドラム１５へ向かって近接するように、離間位置から上側へ移動される。
【０１７１】
そして、ＬＥＤユニット１２の位置決めころ４４が感光ドラム１５の周面に当接されると、ＬＥＤユニット１２が感光ドラム１５に対して位置決めされる。
（３）第３実施形態の作用効果
また、第３実施形態においても、上記した第２実施形態と同様の作用効果を得ることができる。
９．第４実施形態
図９を参照して、プリンタ１の第４実施形態を説明する。なお、第４実施形態において、上記した第１実施形態と同様の部材には同様の符号を付し、その説明を省略する。
（１）第４実施形態の構成
上記した第１実施形態では、現像ユニット１１の前壁６５の右上側端部をドラムユニット１０の前壁に対向させて、ドラムユニット１０の本体ケーシング２からの離脱を規制している。
【０１７２】
対して、第４実施形態では、図９に示すように、現像ユニット９０の前壁６５をドラムユニット１０に干渉しないように構成し、本体ケーシング２のＬＥＤ支持フレーム７１に、ドラムユニット１０の前壁に対向する規制部材の一例としての規制レバー９５を設けて、ドラムユニット１０の本体ケーシング２からの離脱を規制する。
【０１７３】
現像ユニット９０の前壁６５は、その右上側端部が、ドラムユニット１０の前壁の左下側端部に対向しないように切欠かれている。
【０１７４】
規制レバー９５は、左右方向に延びる略杆形状に形成され、その左端部が現像ユニット収容部３７内に突出するように、その右端部において、ＬＥＤ支持フレーム７１の前面に揺動可能に支持されている。
【０１７５】
詳しくは、規制レバー９５は、図９（ａ）に示すように、左端部がドラムユニット１０の前壁に対向するように上側へ揺動される規制位置と、図９（ｂ）に示すように、左端部がドラムユニット１０の前壁に対向しないように下側へ揺動される規制解除位置とに、揺動される。
（２）第４実施形態における現像ユニットの着脱
第４実施形態では、図９（ａ）に示すように、現像ユニット９０が本体ケーシング２に装着されている状態において、規制レバー９５が、現像ユニット９０の前壁６５の右上側端部に上側から当接され、規制位置に配置されている。
【０１７６】
これにより、ドラムユニット１０の本体ケーシング２からの離脱が規制されている。
【０１７７】
そして、現像ユニット９０を前側へ引き抜くと、図９（ｂ）に示すように、現像ユニット９０の前壁６５と規制レバー９５との当接が解除されて、規制レバー９５が下側へ揺動される。
【０１７８】
すると、規制レバー９５が規制解除位置に配置されて、規制レバー９５とドラムユニット１０との対向が解除され、ドラムユニット１０の前側へのスライドが許容される。
【０１７９】
そして、現像ユニット９０が本体ケーシング２から離脱された後に、ドラムユニット１０を前側へ引き抜くと、ドラムユニット１０が本体ケーシング２から離脱される。
（３）第４実施形態の作用効果
また、第４実施形態においても、上記した第１実施形態と同様の作用効果を得ることができる。
１０．その他の実施形態
上記した第１実施形態では、カム部６４をＬＥＤユニット１２の下側に配置している。
【０１８０】
しかし、ＬＥＤユニット１２を感光ドラム１５に対して近接または離間させることができれば、カム部６４とＬＥＤユニット１２との相対配置は特に限定されない。例えば、カム部６４を、ＬＥＤユニット１２の第２フレーム４３の左側、言い換えると、現像ユニット６０のユニット本体６１と、ＬＥＤユニット１２の第２フレーム４３との間に配置することもできる。
【０１８１】
なお、被作用部４０は、第２フレーム４３の左面から左側へ向かって膨出するように形成される。
【０１８２】
そして、現像ユニット１１が本体ケーシング２に装着されているときには、上記した第１実施形態と同様に、カム部６４の作用部６６が、ＬＥＤユニット１２の被作用部４０に対して下側から当接されることにより、ＬＥＤユニット１２が近接位置に配置される。
【０１８３】
また、現像ユニット１１が本体ケーシング２から離脱されているときには、カム部６４の作用部６６と、ＬＥＤユニット１２の被作用部４０との当接が解除されることにより、ＬＥＤユニット１２が離間位置に配置される。
【０１８４】
この実施形態においても、上記した第１実施形態と同様の作用効果を得ることができる。
【符号の説明】
【０１８５】
１      プリンタ
２      本体ケーシング
１０    ドラムユニット
１１    現像ユニット
１２    ＬＥＤユニット
１５    感光ドラム
１７    現像ローラ
４０    被作用部
４１    ＬＥＤアレイ
４４    位置決めころ
５０    前面
６０    現像ユニット
６５    前壁
６６    作用部
６７    後面
６９    上面
８１    直動カム
８２    作用部
９０    現像ユニット
９１    揺動カム
９５    規制レバー
９６    直動カム
９７    作用部
【図１】
0005867075.tif 000002
【図２】
0005867075.tif 000003
【図３】
0005867075.tif 000004
【図４】
0005867075.tif 000005
【図５】
0005867075.tif 000006
【図６】
0005867075.tif 000007
【図７】
0005867075.tif 000008
【図８】
0005867075.tif 000009
【図９】
0005867075.tif 000010